(57)【要約】【課題】  給紙トレイ内のプレプリント紙の残量が変動しても、プレプリント紙上の画像を正確に撮影できるようにする。【解決手段】  昇降装置６４が、プレプリント紙Ｐが積載された給紙トレイ１６の底板１７を昇降させることにより、ＣＣＤカメラ６０のピントを合わせる。このため、給紙トレイ１６内のプレプリント紙Ｐの残量が変動することにより、プレプリント紙Ｐ上の画像ＧとＣＣＤカメラ６０との間隔が変動しても、プレプリント紙Ｐ上の画像Ｇを正確に撮影できる。【選択図】  図２
2007055803.tif 000002
【特許請求の範囲】
【請求項１】
記録媒体上に形成された画像を撮影し、記録媒体のセット方向又は記録媒体の種類を検出する画像撮影システムにおいて、
前記記録媒体が積載収容された収容トレイの上方に設けられ、前記記録媒体上に形成された画像を撮影するカメラと、
前記カメラと前記記録媒体との間隔を調整することにより、前記カメラのピントを合わせるピント合わせ手段と、
を備えたことを特徴とする画像撮影システム。
【請求項２】
前記ピント合わせ手段は、前記記録媒体が積載された前記収容トレイの底板を昇降させて、前記カメラのピントを合わせる昇降手段であることを特徴とする請求項１に記載の画像撮影システム。
【請求項３】
前記ピント合わせ手段は、前記カメラのピントが合う位置で、前記記録媒体と前記カメラとの間隔を一定に保つ間隔調整手段であることを特徴とする請求項１に記載の画像撮影システム。
【請求項４】
前記間隔調整手段は、前記カメラが固定されると共に、前記記録媒体上に当接して、前記記録媒体の上下動に連動して前記カメラを上下動させるガイド部材であることを特徴とする請求項３に記載の画像撮影システム。
【請求項５】
前記ガイド部材の前記記録媒体と当接する部位に、前記収容トレイから送り出される前記記録媒体に従動するローラを設けたことを特徴とする請求項４に記載の画像撮影システム。
【請求項６】
前記ピント合わせ手段は、前記収容トレイから送り出された前記記録媒体の厚みを測定する測定手段と、該測定手段が測定した厚み分前記カメラを下方に移動させる移動手段と、から構成されていることを特徴とする請求項１に記載の画像撮影システム。
【請求項７】
請求項１〜６のいずれか1項に記載の画像撮影システムを備えたことを特徴とする画像形成装置。
【発明の詳細な説明】
【技術分野】
【０００１】
本発明は、記録媒体上に形成された画像を撮影する画像撮影システム及びその画像撮影システムを備えた画像形成装置に関する。
【背景技術】
【０００２】
記録媒体上に形成された画像を撮影する画像撮影システムとしては、印刷物上に形成された印刷基準マークをカメラで撮影し、撮影した印刷基準マークと検査用の基準パターンと比較して、印刷の位置ズレや色ずれを検出するシステムが公知である（例えば、特許文献１）。
【０００３】
また、収容トレイに積載収容された記録媒体上に印刷されたバーコードや２次元コード等の画像をＣＣＤカメラで撮影し、記録媒体が収容トレイに正しい向きでセットされているか等を確認するシステムも提案されている。
【特許文献１】特開平１０−３３４２４３号公報
【発明の開示】
【発明が解決しようとする課題】
【０００４】
ところで、カメラで記録媒体上の画像を撮影する場合には、カメラのピントを画像に合わせる必要がある。
【０００５】
搬送路上で記録媒体上の画像を撮影する場合は、記録媒体とカメラとの間隔が一定である。これに対して、収容トレイに収容された記録媒体上の画像を撮影する場合は、記録媒体が収容トレイから送り出されることで、記録媒体の残量が変動するため、画像とカメラとの間隔が変動する。
【０００６】
このため、一旦、カメラのピントを記録媒体上の画像に合わせても、カメラのピントが狂う場合があり、画像が正確に撮影できないという問題があった。
【０００７】
本発明は、上記事実を考慮し、収容トレイ内の記録媒体の残量が変動しても、記録媒体上の画像を正確に撮影できる画像撮影システムを提供することを目的とする。
【課題を解決するための手段】
【０００８】
本発明の請求項１に係る画像撮影システムは、記録媒体上に形成された画像を撮影し、記録媒体のセット方向又は記録媒体の種類を検出する画像撮影システムにおいて、前記記録媒体が積載収容された収容トレイの上方に設けられ、前記記録媒体上に形成された画像を撮影するカメラと、前記カメラと前記記録媒体との間隔を調整することにより、前記カメラのピントを合わせるピント合わせ手段と、を備えたことを特徴とする。
【０００９】
この構成によれば、収容トレイの上方に設けられたカメラで、収容トレイに積載収容された記録媒体上に形成された画像を撮影する。
【００１０】
ピント合わせ手段がカメラと記録媒体との間隔を調整することにより、カメラのピントを合わせる。このため、収容トレイ内の記録媒体の残量が変動しても、記録媒体上の画像を正確に撮影できる。
【００１１】
本発明の請求項２に係る画像撮影システムは、請求項１の構成において、前記ピント合わせ手段は、前記記録媒体が積載された前記収容トレイの底板を昇降させて、前記カメラのピントを合わせる昇降手段であることを特徴とする。
【００１２】
この構成によれば、ピント合わせ手段としての昇降手段が、記録媒体が積載された収容トレイの底板を昇降させることにより、カメラのピントを合わせる。
【００１３】
このため、収容トレイ内の記録媒体の残量が変動することにより、記録媒体上の画像とカメラとの間隔が変動しても、記録媒体上の画像を正確に撮影できる。
【００１４】
また、昇降手段は、通常、収容トレイに設置されるものであるため、別途、部材を追加する必要がないため、部品点数が増加しない。
【００１５】
本発明の請求項３に係る画像撮影システムは、請求項１の構成において、前記ピント合わせ手段は、前記カメラのピントが合う位置で、前記記録媒体と前記カメラとの間隔を一定に保つ間隔調整手段であることを特徴とする。
【００１６】
この構成よれば、カメラと記録媒体との間に設けられた間隔調整手段が、カメラのピントが合う位置で、記録媒体の上面とカメラとの間隔を一定に保つ。
【００１７】
このため、収容トレイ内の記録媒体の残量が変動しても、常に、カメラのピントが合い、常に、記録媒体上の画像を正確に撮影できる。
【００１８】
本発明の請求項４に係る画像撮影システムは、請求項３の構成において、前記間隔調整手段は、前記カメラが固定されると共に、前記記録媒体上に当接して、前記記録媒体の上下動に連動して前記カメラを上下動させるガイド部材であることを特徴とする。
【００１９】
この構成によれば、カメラが固定されたガイド部材が、記録媒体上に当接することにより、記録媒体の上下動に連動してカメラを上下動させる。
【００２０】
このように、ガイド部材が記録媒体上に当接するため、記録媒体のカール等が防止され、記録媒体の平滑状態が保たれる。これにより、記録媒体上の画像を正確に撮影できる。
【００２１】
本発明の請求項５に係る画像撮影システムは、請求項４の構成において、前記ガイド部材の前記記録媒体と当接する部位に、前記収容トレイから送り出される前記記録媒体に従動するローラを設けたことを特徴とする。
【００２２】
ガイド部材の記録媒体と当接する部位に設けられたローラが、収容トレイから送り出される記録媒体に従動する。
【００２３】
このため、ガイド部材が記録媒体に当接しても、記録媒体が送り出される際に、送り出しの抵抗とならない。
【００２４】
本発明の請求項６に係る画像撮影システムは、請求項１の構成において、前記ピント合わせ手段は、前記収容トレイから送り出された前記記録媒体の厚みを測定する測定手段と、該測定手段が測定した厚み分前記カメラを下方に移動させる移動手段と、から構成されていることを特徴とする。
【００２５】
この構成によれば、測定手段が、収容トレイから送り出された記録媒体の厚みを測定する。この測定手段が測定した厚み分、移動手段がカメラを下方に移動させる。
【００２６】
このため、収容トレイ内の記録媒体の残量が変動しても、常に、カメラのピントが合い、常に、記録媒体上の画像を正確に撮影できる。
【００２７】
本発明の請求項７に係る画像形成装置は、請求項１〜６のいずれかに1項に記載の画像撮影システムを備えたことを特徴とする。
【発明の効果】
【００２８】
本発明は、上記構成としたので、収容トレイ内の記録媒体の残量が変動しても、記録媒体上の画像を正確に撮影できる。
【発明を実施するための最良の形態】
【００２９】
以下に、本発明の画像撮影システム及びその画像撮影システムを備えた画像形成装置に係る実施形態の一例を図面に基づき説明する。
〔第１実施形態〕
まず、本発明の画像撮影システムを備えた画像形成装置の全体構成について説明する。図１には、本実施形態に係る画像形成装置の全体概略が示されている。
【００３０】
図１に示すように、画像形成装置１０は、第１ユニット１１、第２ユニット１２、第３ユニット１３、第４ユニット１４から構成されている。第１ユニット１１及び第２ユニット１２は、それぞれ、プレプリント紙Ｐ等の用紙を積載収容する給紙トレイ（収容トレイ）１６を備えている。
【００３１】
給紙トレイ１６内の用紙は、ピックアップローラ１８によって、搬送路２０へ送り出される。搬送路２０へ送り出された用紙は、複数の搬送ローラ２２で、用紙へ画像を形成する画像形成部２４へ挟持搬送される。
【００３２】
給紙トレイ１６の底板１７には、底板１７を昇降する昇降装置（昇降手段）６４が設けられている。この昇降装置６４は、用紙が給紙トレイ１６から送り出せられている状態（装置が稼動中）である場合に、用紙が一定量送り出されると、段階的に底板１７を上昇させて、ピックアップローラ１８と用紙とを接触状態を保つ。
【００３３】
また、昇降装置６４は、用紙を給紙トレイ１６に補充する場合において、給紙トレイ１６を装置内から引き出す際に、ピックアップローラ１８と用紙が干渉しないように、底板１７を下降させて、ピックアップローラ１８と用紙とを非接触状態にする。
【００３４】
第４ユニット１４には、用紙を積載収容する２つの給紙トレイ２６が設けられている。給紙トレイ２６内の用紙は、ピックアップローラ２８によって、搬送路２０へ送り出される。搬送路２０へ送り出された用紙は、複数の搬送ローラ２２及び搬送ベルト３２で、画像形成部２４へ搬送される。
【００３５】
画像形成部２４は、複数のローラ３５で張架され、一方向（図１において反時計方向）へ回転する感光体ベルト３４を備えている。感光体ベルト３４の下側には、イエロー、マゼンタ、シアン、ブラックの各色に対応したプリントエンジン３６Ｙ、３６Ｍ、３６Ｃ、３６Ｋが設けられている。
【００３６】
各プリントエンジン３６Ｙ、３６Ｍ、３６Ｃ、３６Ｋは、感光体ベルト３４の回転方向に沿って、順に配設された帯電器３７、露光ヘッド３８、現像器３９を備えている。
【００３７】
感光体ベルト３４は、その表面が帯電器３７によって略均一に帯電される。感光体ベルト３４の帯電面は、露光ヘッド３８によって露光され、感光体ベルト３４の表面に画像データに基づく静電潜像が形成される。次いで、この静電潜像が現像器３９によって現像され、感光体ベルト３４の表面にトナー画像が形成される。
【００３８】
画像形成部２４へ搬送された用紙は、感光体ベルト３４と転写コロトロン４０との間に導入され、転写コロトロン４０が、用紙の裏面に向けて放電して、トナー電荷と逆極性の電荷を与えて、感光体ベルト３４上のトナー画像を用紙へ転写する。なお、転写後、感光体ベルト３４に残留したトナーは、クリーニング機構４２で除去される。
【００３９】
トナー画像が転写された用紙は、さらに、下流側にある一対定着ローラ４４へ搬送され、この定着ローラ４４に挟持され、用紙へトナー画像が圧着される。
【００４０】
トナー画像が圧着された用紙は、さらに下流側へ複数の搬送ローラ２２で搬送され、排出ロール４６によって、第１ユニット１１及び第２ユニット１２にそれぞれ設けられたスタッカ４８へ排出される。
【００４１】
用紙の両面へ画像を形成する場合は、定着ローラ４４とスタッカ４８との間に設けられた反転部５０で、片面に画像が形成された用紙の裏表が反転されて、搬送ベルト３２に送り込まれる。搬送ベルト３２に送り込まれた用紙は、搬送ベルト３２及び複数の搬送ローラ２２で、再び画像形成部２４へ搬送されて、裏面に画像が形成される。
【００４２】
なお、第３ユニット１３には、用紙を反転させるための反転機構５２が設けられている。この反転機構５２は、両面に画像が形成された用紙の表面を上側にして、スタッカ４８に積載したい場合など、用紙の裏表の向きを調整したい場合に用いられる。
【００４３】
また、第４ユニット１４に上部には、用紙の一枚又は数枚、試し刷りをした際に、排出される排出トレイ５４が設けられている。
【００４４】
また、第１ユニット１１に上部には、パージトレイ５６が配設されており、搬送中に何らかの不具合が発生し、適切な画像形成処理を施すことができず、不要となった用紙が排出される。
【００４５】
ここで、プレプリント紙上に形成された画像を撮影し、プレプリント紙のセット方向又はプレプリント紙の種類を検出する画像撮影システムを構成する画像撮影部について説明する。
【００４６】
本実施形態に係る画像撮影部は、プレプリント紙上に形成された画像を撮影して、その撮影した画像を分析することにより、プレプリント紙のセット方向又はプレプリント紙の種類を検出し、プレプリント紙が正しい向きで給紙トレイにセットされているか、正しい種類のプレプリント紙が給紙トレイにセットさせているかを確認するものである。
【００４７】
この画像撮影部５８は、給紙トレイ１６の上方に設けられたＣＣＤカメラ６０を備えている。このＣＣＤカメラ６０は、図２に示すように、レンズ６０Ａが下方へ向けられ、プレプリント紙Ｐの上面に形成された画像Ｇを撮影する。
【００４８】
撮影対象となる画像Ｇとしては、バーコード及び２次元コード、その他の文字図形が含まれ、プレプリント紙Ｐ上に、予め、決まった書式で形成された画像Ｇが撮影対象となる。
【００４９】
ＣＣＤカメラ６０と給紙トレイ１６との間には、プレプリント紙Ｐへ照明光を照射する照明６２が設けられている。この照明６２の内周側にある空間を通して、ＣＣＤカメラ６０は画像Ｇを撮影する。
【００５０】
ＣＣＤカメラ６０には、ＣＣＤカメラ６０の撮影タイミングを制御する制御部６６が接続されている。この制御部６６へは、ＣＣＤカメラ６０が撮影した画像の画像信号が入力される。制御部６６は、画像信号を基に、ＣＣＤカメラ６０が撮影した画像を分析して、プレプリント紙Ｐのセット方向又はプレプリント紙Ｐの種類を検出し、プレプリント紙Ｐが正しい向きで給紙トレイ１６にセットされているか、正しい種類のプレプリント紙Ｐが給紙トレイ１６にセットさせているかを確認する。
【００５１】
また、制御部６６には、オペレータに向けて警告表示する表示部６８が接続されている。さらに、制御部６６と昇降装置６４とが接続され、昇降装置６４の昇降動作は、制御部６６によって制御される。
【００５２】
次に、第１実施形態について作用を説明する。
【００５３】
第１実施形態の構成によれば、プレプリント紙Ｐに形成された画像Ｇを撮影する場合は、まず、制御部６６が昇降装置６４の昇降動作を制御することにより、昇降装置６４が、ＣＣＤカメラ６０がプレプリント紙Ｐ上の画像Ｇの読み取り可能な距離まで、給紙トレイ１６の底板１７を上昇させる。これにより、大雑把なピント調整を行う（図２参照）。
【００５４】
次に、ＣＣＤカメラ６０のピントが合う近辺で給紙トレイ１６の底板１７を上下動させ、ＣＣＤカメラ６０のピントが合う最適な位置に給紙トレイ１６の底板を位置させる（図３参照）。
【００５５】
この最適な位置で、制御部６６がＣＣＤカメラ６０へ撮影信号を送り、プレプリント紙Ｐの画像を撮影する。ＣＣＤカメラ６０が撮影した画像の画像信号が制御部６６へ入力される。
【００５６】
制御部６６は、画像信号に基づき、プレプリント紙Ｐのセット方向及びプレプリント紙Ｐの種類を検出し、給紙トレイ１６に収容されたプレプリント紙Ｐのセット方向が正しいか判断し、また、プレプリント紙Ｐの種類が正しいかを判断する。
【００５７】
制御部６６は、プレプリント紙Ｐのセット方向及び種類が正しいと判断した場合は、昇降装置６４へ、給紙トレイ１６の底板１７を上昇させるように信号を送る。
【００５８】
これにより、昇降装置６４は、プレプリント紙Ｐとピックアップローラ１８とが当接する位置まで給紙トレイ１６の底板１７を上昇させる（図４参照）。ピックアップローラ１８がプレプリント紙Ｐを搬送路２０へ送り出し、送り出されたプレプリント紙Ｐは、画像形成部２４へ搬送され、プレプリント紙Ｐに画像が形成される。
【００５９】
制御部６６は、プレプリント紙Ｐのセット方向及び種類が間違っていると判断した場合は、昇降装置６４を停止させたまま、表示部６８へ警告表示するように信号を送る。表示部６８は、警告表示を行い、オペレータに、プレプリント紙Ｐのセット方向、プレプリント紙Ｐの種類が間違っていることを知らせる。
【００６０】
また、制御部６６は、プレプリント紙Ｐ上の画像Ｇが読み取れない場合には、表示部６８へエラー表示を行うように、信号を送る。表示部６８は、エラー表示を行い、オペレータに、画像Ｇが読み取れないことを知らせる。
【００６１】
このように、第１実施形態では、昇降装置６４が、プレプリント紙Ｐが積載された給紙トレイ１６の底板１７を昇降させることにより、ＣＣＤカメラ６０のピントを合わせる。
【００６２】
このため、給紙トレイ１６内のプレプリント紙Ｐの残量が変動することにより、プレプリント紙Ｐ上の画像ＧとＣＣＤカメラ６０との間隔が変動しても、プレプリント紙Ｐ上の画像Ｇを正確に撮影できる。
【００６３】
また、昇降装置６４は、元々、給紙トレイ１６に設置されるものであるため、別途、装置を追加する必要がないため、部品点数が増加しない。
【００６４】
〔第２実施形態〕
次に、本発明の第２実施形態について説明する。なお、第１実施形態と同一の部分には同一の符号を付し、説明を省略する。また、画像形成装置の全体構成は、第１実施形態と同一であるので、説明を省略する。
【００６５】
第２実施形態に係る画像撮影部７８は、ＣＣＤカメラ６０が取り付けられるゲート状（コの字状）の取付け部材７０を備えている。この取付け部材７０は、装置筐体の側板等に固定されている。
【００６６】
取付け部材７０には、ＣＣＤカメラ６０を挟んだ両側の位置に、ばね部材７２の上端部が取り付けられている。ばね部材７２の下端部には、ＣＣＤカメラ６０のレンズ側（先端側）が固定されるゲート状（コの字状）のガイド部材７４が、上下動可能に取り付けられている。
【００６７】
このガイド部材７４の側板は、取付け部材７０の両側の側板に上下方向へ案内され、ガイド部材７４の側板の下端部がプレプリント紙Ｐに当接するようになっている。これにより、ガイド部材７４は、プレプリント紙Ｐの上下動に連動してＣＣＤカメラ６０を上下動させ、ＣＣＤカメラ６０のピントが合う位置で、プレプリント紙ＰとＣＣＤカメラ６０との間隔を一定に保つようになっている。
【００６８】
また、プレプリント紙Ｐに当接するガイド部材７４の側板の下端部には、給紙トレイ１６から送り出されるプレプリント紙Ｐに従動するローラ７６が取付けられている。
【００６９】
なお、ガイド部材７４は、上下方向を軸方向とした軸周りに９０度回転させて配置した構成であってもよい。
【００７０】
次に、第２実施形態について作用を説明する。
【００７１】
第２実施形態の構成よれば、ガイド部材７４が、プレプリント紙Ｐ上に当接することにより、プレプリント紙Ｐの上下動に連動して、ＣＣＤカメラ６０を上下動させる。これにより、プレプリント紙Ｐの上面とＣＣＤカメラ６０との間隔は、ＣＣＤカメラ６０のピントがプレプリント紙Ｐの画像と合う間隔で一定に保たれる。
【００７２】
このため、給紙トレイ１６の底板１７が上下動しても、常に、ＣＣＤカメラ６０のピントがプレプリント紙Ｐの画像と合い、常に、プレプリント紙Ｐ上の画像を正確に撮影できる。
【００７３】
また、ガイド部材７４の側板に取付けられたローラ７６がプレプリント紙Ｐ上に当接するため、プレプリント紙Ｐのカール等が防止され、プレプリント紙Ｐの平滑状態が保たれる。これにより、プレプリント紙Ｐの画像を正確に撮影できる。
【００７４】
プレプリント紙Ｐに当接するローラ７６は、給紙トレイ１６から送り出されるプレプリント紙Ｐに従動する。このため、プレプリント紙Ｐが送り出される際に、送り出しの抵抗とならない。
【００７５】
〔第３実施形態〕
次に、本発明の第３実施形態について説明する。なお、第１実施形態と同一の部分には同一の符号を付し、説明を省略する。また、画像形成装置の全体構成は、第１実施形態と同一であるので、説明を省略する。
【００７６】
第３実施形態に係る画像撮影部８８は、図６に示すように、モータ８２の駆動力で自らの軸周りに回転するボールねじ（移動手段）８０を備えている。ボールねじ８０の中間部は、基板８４に螺合し、ボールねじ８０の下端部には、ＣＣＤカメラ６０が取付けられている。ＣＣＤカメラ６０は、ボールねじ８０が回転することにより下方へ移動する構成となっている。
【００７７】
モータ８２には、制御部６６が接続され、制御部６６がモータ８２の駆動制御を行う。この制御部６６には、給紙トレイ１６から送り出されたプレプリント紙Ｐの厚さを測定する紙厚測定装置（測定手段）８６が、接続されている。
【００７８】
紙厚測定装置８６は、シュート部材９０を通過したプレプリント紙Ｐによって、先端部に取付けられたローラ８９が、装置本体８７側へ押し込まれることで、プレプリント紙Ｐの厚さを測定する構成となっている。
【００７９】
また、紙厚測定装置８６は、給紙トレイ１６から送り出されたプレプリント紙Ｐの厚さを測定した測定結果を制御部６６へ入力する。
【００８０】
次に、第３実施形態について作用を説明する。
【００８１】
給紙トレイ１６からプレプリント紙Ｐが送り出されると、紙厚測定装置８６は、シュート部材９０を通過したプレプリント紙Ｐの紙厚を測定する。その測定結果は、制御部６６へ入力される。制御部６６が、測定結果に基づき、モータ８２を駆動制御することにより、ボールねじ８０が回転して、紙厚測定装置８６が測定した紙厚分、ＣＣＤカメラ６０が下方へ移動する。
【００８２】
また、制御部６６が、昇降装置６４により給紙トレイ１６の底板１７を上下動させた場合は、その分を差し引きし、ＣＣＤカメラ６０を下方させる量が決定される。
【００８３】
このように、第３実施形態では、給紙トレイ１６からプレプリント紙Ｐが送り出される毎に、ＣＣＤカメラ６０とプレプリント紙Ｐとの間隔が調整されるため、常に、ＣＣＤカメラ６０のピントがプレプリント紙Ｐの画像と合い、常に、プレプリント紙Ｐ上の画像を正確に撮影できる。
【００８４】
なお、第３実施形態では、ＣＣＤカメラ６０を移動させる機構として、ボールネジ８０を用いた移動機構を説明したが、本発明の移動機構としては、これに限られず、カメラ下方へ移動させる機構であれば構わない。
【００８５】
また、上記実施の形態では、電子写真方式の画像形成装置を用いたが、本発明の画像形成装置としては、画像を形成する方式は問わず、例えば、感熱方式、サイカラー方式、インクジェット方式、静電方式であってもよく、画像が形成される装置であればよい。本発明は、上記の実施の形態に限るものではなく、種々の形態が可能である。
【図面の簡単な説明】
【００８６】
【図１】図１は、本発明の実施形態に係る画像形成装置の全体構成を示す図である。
【図２】図２は、第１実施形態に係る画像撮影部を示す側面図である。
【図３】図３は、第１実施形態に係る画像撮影部を示す側面図である。
【図４】図４は、第１実施形態に係る画像撮影部を示す側面図である。
【図５】図５は、第２実施形態に係る画像撮影部を示す側面図である。
【図６】図６は、第３実施形態に係る画像撮影部を示す側面図である。
【符号の説明】
【００８７】
１０  画像形成装置
１６  給紙トレイ
１７  底板
５８  画像撮影部（画像撮影システム）
６０  カメラ
６４  昇降装置（ピントあわせ手段）
７４  ガイド部材（間隔調整手段）
７６  ローラ
７８  画像撮影部（画像撮影システム）
８０  ボールネジ（移動手段）
８２  モータ（移動手段）
８６  紙厚測定装置（測定手段）
８８  画像撮影部（画像撮影システム）
Ｇ  画像
Ｐ  プレプリント紙（記録媒体）
【図１】
2007055803.tif 000003
【図２】
2007055803.tif 000004
【図３】
2007055803.tif 000005
【図４】
2007055803.tif 000006
【図５】
2007055803.tif 000007
【図６】
2007055803.tif 000008